(57)【特許請求の範囲】
【請求項１】
縦寸法Ｌ、幅寸法Ｗの広域平面を有する矩形形状の外周枠体３を含む金属製型鋼材でなる枠組立体１と、前記枠組立体１における広域平面の少なくとも一方の面に重ね合わせ状に連結される外装パネル材２とにより形成される塀構築パネルユニットＵと、前記塀構築パネルユニットＵを地上に起立状態で固定支持するものであって、該塀構築パネルユニットＵの広域平面の一方の面から外方に向けてのびるように、前記枠組立体１における外周枠体３の下縁に枠体連結手段１６を介して連結される金属製型鋼材でなる地中埋込み枠体１０を含む土台基礎Ｆとからなり、
前記地中埋込み枠体１０と前記土台基礎Ｆとの間を連結する土台基礎連結手段１４と、前記外周枠体３の両側縁を互いに突き合わせ状に連結するための側部連結手段１５とを備え、
前記塀構築パネルユニットＵを前記地中埋込み枠体１０を介して土台基礎Ｆに連結するとともに、前記塀構築パネルユニットＵを前記側部連結手段１５を介して左右に突き合わせ状に連結することによって一連の耐力塀を形成してなることを特徴とする塀構築パネルユニットを用いた塀構造体。
【請求項２】
前記地中埋込み枠体１０と前記枠組立体１における外周枠体２の下縁との間に、塀構築パネルユニットＵの高さを調整するための高さ調整手段１７を設けてなることを特徴とする請求項１に記載の塀構築パネルユニットを用いた塀構造体。
【請求項３】
前記外装パネル材２が、軽量気泡コンクリートパネル（ＡＬＣパネル）であることを特徴とする請求項１または請求項２に記載の塀構築パネルユニットを用いた塀構造体。
【発明の詳細な説明】
【０００１】
【発明の属する技術分野】
この発明は、敷地境界線などに沿って構築する塀構造体に関するものであり、特に、工場生産化に適合する塀構築パネルユニットを主構成体とし、配筋を要することなく、工期の短縮化を図り、且つ強靱な境界塀を構築し得るようになした塀構築パネルユニットを用いた塀構造体に関するものである。
【０００２】
【従来の技術】
周知のように、建造物などに付随して敷地境界線などに沿って塀を構築する場合がある。従来、これらの敷地境界塀３０の構築は、一例として、図６に示すように、場合によっては、既に構築されている建造物あるいは既存の塀に対面するような状況下で、敷地境界線ＢＬに沿って土台基礎Ｆを形成し、この土台基礎Ｆの上に適宜間隔をおきコンクリート柱３１を設け、このコンクリート柱３１間にコンクリートブロック３２を下段から順次上段に向けて積み上げ、それぞれの間を接合連結しながら敷地境界塀３０を形成する構成のものであった。
【０００３】
この従来のコンクリート柱並びにコンクリートブロックによる敷地境界塀の構築施工は、コンクリートブロックを積み重ねていく毎に、その水平状態を確認し並びに塀面の平面性を確認するなど各施工作業が煩雑であって多大の労力を要し、工期の長期化などの問題点を有している。さらに、従来の構築施工による敷地境界塀は、コンクリートブロックを積み重ねによって構築している点において衝撃に対する耐久性に乏しく、構築施工後、塀面に対する表面装飾処理に際して、敷地境界線に沿って既存の構造物が隣接しているような場合、隣接面側の表面装飾処理を行なうことができないなどの欠点を有していた。
【０００４】
従来、建造物などの構築に関して、建造物の各部分を工場等において前もって製造準備しておき、これらの建造物の各部分を施工現場に持ち込んで、予め設計された建造物を構築施工するという、所謂プレファブ (prefabrication) タイプの構築方式はよく知られているものであって、その需要は目を見張るものがあり、技術的にも多くの改良開発がなされ、提供されてきている。
【０００５】
一方、各種建造物などにおける内外装壁面構築用の母材パネル材として、軽量気泡コンクリートパネル（ＡＬＣパネル）、中空押し出し成形セメントパネル等の母材パネル材の適用が隆盛をきわめている。前者の軽量気泡コンクリートパネルは、気泡コンクリート成形体をオートクレーブ養成処理することによって造られるものであり、後者の中空押し出し成形セメントパネルは、セメントの押し出し成形によって造られるものであって、それぞれ、軽量性、加工容易性並びに適度の強度性等の点において優れた特性を有しており、それらの特性の範囲において壁面材として有効に利用されている。
【０００６】
【発明が解決しようとする課題】
そこで、この発明は、建造物などに付随して敷地境界線などに沿って塀を構築する場合に、上記するような構成になる枠組立体を含む塀構築パネルユニットを主構成体として適用してなる塀構造体を供し、それによって、配筋を要することなく、塀施工作業の省力化、工期の短縮化を図り、且つ強靱で耐久性の高い境界塀を構築しようとするものである。
【０００７】
【課題を解決するための手段】
この発明は、上記の目的を達成するものであり、具体的には、縦寸法Ｌ、幅寸法Ｗの広域平面を有する矩形形状の外周枠体を含む金属製型鋼材でなる枠組立体と、前記枠組立体における広域平面の少なくとも一方の面に重ね合わせ状に連結される外装パネル材とにより形成される塀構築パネルユニットと、前記塀構築パネルユニットを地上に起立状態で固定支持するものであって、該塀構築パネルユニットの広域平面の一方の面から外方に向けてのびるように、前記枠組立体における外周枠体の下縁に枠体連結手段を介して連結される金属製型鋼材でなる地中埋込み枠体を含む土台基礎とからなり、
前記塀構築パネルユニットを地上に起立状態で固定支持するものであって、前記枠組立体における外周枠体の下縁に枠体連結手段を介して連結される金属製型鋼材でなる地中埋込み枠体を含む土台基礎とからなり、
前記地中埋込み枠体と前記土台基礎との間を連結する土台基礎連結手段と、前記外周枠体の両側縁を互いに突き合わせ状に連結するための側部連結手段とを備え、
前記塀構築パネルユニットを前記地中埋込み枠体を介して土台基礎に連結するとともに、前記塀構築パネルユニットを前記側部連結手段を介して左右に突き合わせ状に連結することによって一連の耐力塀を形成してなることを特徴とする塀構築パネルユニットを用いた塀構造体を構成するものである。
【０００９】
さらにまた、この発明においては、前記埋込み枠体と前記枠組立体における外周枠体の下縁との間に、前記塀構築パネルユニットの高さを調整するための高さ調整手段を設けてなる塀構築パネルユニットを用いた塀構造体を構成するものでもある。
【００１０】
さらに、この発明においては、前記外装パネル材が、軽量気泡コンクリートパネル（ＡＬＣパネル）である塀構築パネルユニットを用いた塀構造体を構成するものでもある。
【００１１】
【発明の実施の形態】
以下、この発明になる塀構築パネルユニットを用いた塀構造体について、図面に示す具体的な実施例にもとづいて詳細に説明する。
図１は、この発明になる塀構築パネルユニットを用いた塀構造体について、その基本的構成例を示す概略的斜視図、図２は、この発明の第１の具体例についての施工態様を示すものであって、図２Ａおよび図２Ｂは、高さ寸法の異なる塀構造体の態様を示す概略的な側断面図であり、図２Ｃは、枠体連結部を拡大してその詳細を示す概略的な側断面図である。図３は、土台基礎における地中埋込み部の態様を示すものであって、図３Ａおよび図３Ｂは、それぞれ幅寸法の異なる塀構造体の態様を示す概略的な平面図である。
【００１２】
一方、図４は、この発明になる塀構築パネルユニットを用いた塀構造体について、その第２の具体例について、塀構造体の構築施工状態の概要を示す概略的な平面図である。図５は、図４における各部分の断面図であって、図５Ａは、図４における５Ａ−５Ａ線に沿って矢視方向にみた概略的な側断面図であり、図５Ｂは、図４における５Ｂ−５Ｂ線に沿って矢視方向にみた概略的な側断面図であり、図５Ｃは、図４における５Ｃ−５Ｃ線に沿って矢視方向にみた概略的な側断面図である。
【００１３】
この発明にかかる塀構築パネルユニットを用いた塀構造体は、基本的には、塀構築パネルユニットＵと、前記塀構築パネルユニットＵを地上に起立状態で固定支持する地中埋込み部を含む土台基礎Ｆとの組み合わせにより構成される。
【００１４】
この発明の基本構成において、前記塀構築パネルユニットＵは、具体的には、例えば、金属製型鋼材でなる枠組立体１と、前記枠組立体１における広域平面の少なくとも一方の面１ａに重ね合わせ状に連結される外装パネル材２との組み合わせからなっている。
【００１５】
この発明において、前記塀構築パネルユニットＵにおける枠組立体１は、縦寸法Ｌ、幅寸法Ｗの広域平面を有し、厚さ寸法ｔでなる外周枠体３と、前記外周枠体３の枠内であって、厚さ寸法ｔ内に設けられた縦方向並びに横方向にのびる複数の補強梁機構４および剛域機構５とを備えている。
【００１６】
前記枠組立体１における少なくとも前記外周枠体３は、好ましくはリップ溝型鋼６によって構成されるものである。このリップ溝型鋼６は、比較的幅広い一対の側壁６ａ、６ｂ、及び比較的幅狭い一対の側壁６ｃ、６ｄの横断面矩形体にあって、そのうちの一側壁６ａに長さ方向に沿ってのびるチャンネル開口７を備えたチャンネル型材である。
【００１７】
前記枠組立体１における外周枠体３は、図に示す例において前記リップ溝型鋼６における一側壁６ａが外向きになるよう、すなわち、前記チャンネル開口７が枠体の内側に向くように組み立てられていて、形成すべき塀構築パネルユニットＵの規模に応じて、例えば同様のリップ溝型鋼製の補強梁４並びに仮想線で示すような態様の剛域機構５を含むものからなっている。前記枠組立体１は、前記リップ溝型鋼に代えて軽溝型鋼であってもよい。
【００１８】
この発明では、前記塀構築パネルユニットＵにおける枠組立体１において、前記外周枠体３のコーナー部分は、より好ましい例において、リップ溝型鋼６の長さ方向の端面を４５°に切断し、４５°端面を突き合わせ状に溶接連結したものからなっている。一例において前記枠組立体１は、縦方向にのびる縦補強梁４Ａが優先的な骨組構造となっていて、縦方向に途切れのない一体の型鋼材によって構成されている。
【００１９】
この発明において、前記枠組立体１における縦方向の寸法Ｌおよび幅方向の寸法Ｗは、例えば構築しようとする塀構造体の規模に応じて適宜に設計されるものであって、図２に示す第１の構成例のものにあっては、縦寸法Ｌ＝1200mm〜2600mm程度のものであり、幅寸法Ｗは、重機作業に拠る場合にあっては、Ｗ＝1200mm〜1800mm程度のものであり、手作業に拠る場合にあっては、Ｗ＝600mm 程度のものである。また、前記枠組立体１の厚さ寸法ｔは、実質的には、リップ溝型鋼６の横断面形状における長幅外寸法に等しいものであって、これは一例において約100mm 程度のものである。
【００２０】
前記枠組立体１において、前記縦補強梁４Ａおよび横補強梁４Ｂは、前記外周枠体３と同様のリップ溝型鋼６によるものであってもよいし、あるいは、横断面矩形の型鋼材によるものであってもよい。前記縦補強梁４Ａ，横補強梁４Ｂおよび剛域機構５の組み形態は、適宜組み合わせによって構成されるものである。
【００２１】
一方、前記枠組立体１における前記剛域機構５は、その構造上、この発明において極めて重要な要素である。すなわち、この発明では、前記剛域機構５が、塀構築パネルユニットＵにおける枠組立体１の枠内であって、枠組立体１の厚さ寸法ｔ内に収まるように組み合わせ構成されている。この発明において、前記剛域機構５では、圧縮力による剛域の構築をなすものである。
【００２２】
前記剛域機構５は、前記外周枠体３と同様のリップ溝型鋼６によるものであってもよい。この場合、枠組立体１の厚さ寸法ｔと剛域機構５の厚さ寸法とは等しくなる。また、前記剛域機構５は、横断面矩形の型鋼材によるものであってもよい。この場合前記剛域機構５の厚さ寸法は、枠組立体１の厚さ寸法ｔに等しいものであってもよいし、あるいは、枠組立体１の厚さ寸法ｔより僅かに小さなものであってもよい。
【００２３】
この発明において、前記枠組立体１における前記剛域機構５は、前記外周枠体３と、前記縦補強梁４Ａと、前記横補強梁４Ｂとのいずれかの組み合わせによって区画される矩形域の少なくとも一つの対角線に沿って配設されるものであって、例えば、図１において仮想線で示す上記条件の部位に溶接などの固着手段により固着形成されているものである。
【００２４】
この発明において、前記塀構築パネルユニットＵの適用になる実際的な一施工例によれば、図１に示すように前記塀構築パネルユニットＵに対して、外装パネル材２が重ね合わせ状に連結固着される。前記外装パネル材２は、前記金属製枠組立体１の一方の面１ａに重ね合わせ状に組み合わされていて、ボルト−ナット並びにバインダー等の適宜固定連結手段（図示せず）によって固定連結されている。
【００２５】
一例において、前記外装パネル材２は、その表面側に、例えば金属製板、本石、石調シートあるいはこれに類する板体でなる一枚のパネル材、さらにはタイル片、陶磁器片、天然石片、金属片、ガラス片、その他これらに類する材料片でなるプレート片の集合体、さらには塗装等による表装手段を全面的に施した化粧壁パネルに構成することもできる。
【００２６】
前記外装パネル材２は、例えば、気泡コンクリート成形体をオートクレーブ養成処理によって造られるものであって、軽量性、加工容易性並びに適度の強度性等の点において優れた特性を有する軽量気泡コンクリートパネル、あるいはセメントの押し出し成形によって供される押し出し成形セメントパネル、プレキャストコンクリート成形パネル、石綿セメント硅酸カルシウム成形パネル、石綿セメント成形パネル等の耐火性、あるいは防火性を有するものからなり、例えば、予め設計される建造物における一連なりの壁面を複数に分割した状態のものとして構成される。
【００２７】
図２および図３に示すこの発明の第１の構成例において、当該塀構造体は、前記塀構築パネルユニットＵの枠組立体１における外周枠体３の下縁に、土台基礎Ｆとしての地中埋込み枠体１０が固定連結されている。前記地中埋込み枠体１０は、金属製型鋼材でなる外周枠体１１、補強梁１２および剛域１３を含むものからなっている。前記地中埋込み枠体１０は、土台基礎Ｆへの連結のための土台基礎連結手段１４を備えている。また、前記枠組立体１における外周枠体３の両側縁には、枠組立体１を左右方向に突き合わせ状に連結するための側部連結手段１５が設けてある。
【００２８】
前記枠組立体１における外周枠体３の下縁と前記地中埋込み枠体１０とは、枠体連結手段１６を介して直交差状に固定連結してある。前記枠組立体１における外周枠体３の下縁と前記地中埋込み枠体１０との間を連結する枠体連結手段１６は、ボルト−ナットによる連結構造のものであってもよいし、あるいは溶接によるものであってもよい。
【００２９】
前記地中埋込み枠体１０と、コンクリート生地２１との間には、当該塀構築パネルユニットＵの高さを調整するための高さ調整手段１７が設けてある。前記高さ調整手段１７は、高さ調整用ボルト１８と、前記地中埋込み枠体１０に固着してあるナット付き補強プレート１９とを含むものからなっている。前記ナット付き補強プレート１９は、前記地中埋込み枠体１０における外周枠体１１の内面に例えば溶接により固着されている。前記地中埋込み枠体１０における外周枠体１１およびナット付き補強プレート１９には、前記高さ調整用ボルト１８が螺合する貫通ネジ孔２０が設けてある。
【００３０】
前記高さ調整手段１７は、前記地中埋込み枠体１０の外側から内側に向けて出没する左右一対の高さ調整用ボルト１８によって構成されており、前記高さ調整用ボルト１８のネジ先端１８ａが前記コンクリート生地２１の頂面に接していて、前記高さ調整手段１７の回動操作によって当該塀構築パネルユニットＵの高さ位置を調整することができるようになっている。
【００３１】
図２および図３に示すこの発明の第１の構成例になる塀構造体は、次に示す手順にしたがって構築施工される。まず、塀を施工しようとする隣地境界線ＢＬに沿って、コンクリート生地２１を打設しておき、このコンクリート生地２１に後打ちアンカー２２を取り付けておく。この場合、他の例として、コンクリート生地２１の打設時に先打ちアンカーを植設しておく構成のものであってもよい。前記地中埋込み枠体１０と、前記コンクリート生地２１との間を土台基礎連結手段１４により固定連結する。
【００３２】
前記高さ調整手段１７によって、前記塀構築パネルユニットＵの高さを調整するとともに、前記塀構築パネルユニットＵの突き合わせ側縁間にガスケット２３を装着し、突き合わせ状の塀構築パネルユニットＵの側縁間を前記側部連結手段１５によって連結した後、増し打ちコンクリート２４を打設して、塀構築パネルユニットＵのための土台基礎Ｆを完成させる。
【００３３】
次いで、図４および図５に示すこの発明の第２の構成例について説明する。この第２の構成例において、当該塀構造体は、前記塀構築パネルユニットＵの枠組立体１における外周枠体３の下縁が、従来の例になる地中埋込み部をもつ土台基礎Ｆに対し、土台基礎連結手段２５を介して直接的に固定連結される。
【００３４】
図４および図５に示すこの発明の第２の構成例になる塀構造体は、次に示す手順にしたがって構築施工される。まず、塀を施工しようとする隣地境界線ＢＬに沿って、コンクリート生地２６を打設しておき、このコンクリート生地２６に後打ちアンカー２７を取り付けておく。この場合、他の例として、コンクリート生地２６の打設時に先打ちアンカーを植設しておく構成のものであってもよい。
【００３５】
前記土台基礎連結手段２５によってコンクリート生地２６に塀構築パネルユニットＵを固定するとともに、前記塀構築パネルユニットＵの突き合わせ側縁間にガスケット２３を装着し、突き合わせ状の塀構築パネルユニットＵの側縁間を前記側部連結手段１５によって連結して一連の耐力塀を形成する。
【００３６】
この発明において、前記塀構築パネルユニットＵの頂辺に対して、図に示すように、丸瓦、丸のし瓦、割のし瓦の組み合わせなどによる塀頂部構造体２８を直接的に取り付けておくこともできる。前記塀頂部構造体２８は、一連の耐力塀をを構築した後に、前記塀構築パネルユニットＵの頂辺に対して施工するものであってもよい。
【００３７】
【発明の効果】
以上の構成になるこの発明の塀構築パネルユニットを用いた塀構造体は、例えば、隣地既設構造物、あるいは既設ブロック塀などが構築されているような場合にあって、隣地境界線に沿って塀を構築する際に極めて効果的に作用するものである。即ち、この発明になる塀構造体は、塀の構築施工にあたって、構築塀の内側から当該塀構築パネルユニットＵを土台基礎に対して固定施工するだけで一連の耐久塀を仕上げ得るものであり、従来のような配筋施工を要しない点、各塀構築パネルユニットＵのレベル合わせ、あるいは、各塀構築パネルユニットの面合わせ等、その施工時における微妙な調節施工が極めて容易である点など、その施工の省力化、作業性の向上に貢献するものであって、工期の短縮化を図り得る点において極めて有効に作用するものといえる。
【００３８】
さらに、この発明になる塀構築パネルユニットを用いた塀構造体は、ユニットの組み立て、加工のほとんど全てを、工場サイドにおける工場生産ラインにのせて一体的に加工処理し得る点において、多量生産に適合するとともに、品質精度の高い信頼性に優れた塀構築材を供し得るものであって、それらの点において極めて有利に作用するものといえる。
【００３９】
さらにまた、この発明のになる塀構築パネルユニットを用いた塀構造体によれば、外装パネル材として、例えば、軽量気泡コンクリートパネルを用いることにより、その軽量性、加工容易性並びに適度の強度性を確保するものであり、その点においても有効に作用するものといえる。
【図面の簡単な説明】
【図１】図１は、この発明になる塀構築パネルユニットを用いた塀構造体について、その基本的構成例を示す概略的斜視図である。
【図２】図２は、この発明の第１の具体例についての施工態様を示すものであって、図２Ａおよび図２Ｂは、高さ寸法の異なる塀構造体の態様を示す概略的な側断面図であり、図２Ｃは、枠体連結部を拡大してその詳細を示す概略的な側断面図である。
【図３】図３は、土台基礎における地中埋込み部の態様を示すものであって、図３Ａおよび図３Ｂは、それぞれ幅寸法の異なる塀構造体の態様を示す概略的な平面図である。
【図４】図４は、この発明になる塀構築パネルユニットを用いた塀構造体について、その第２の具体例について、塀構造体の構築施工状態の概要を示す概略的な平面図である。
【図５】図５は、図４における各部分の断面図であって、図５Ａは、図４における５Ａ−５Ａ線に沿って矢視方向にみた概略的な側断面図であり、図５Ｂは、図４における５Ｂ−５Ｂ線に沿って矢視方向にみた概略的な側断面図であり、図５Ｃは、図４における５Ｃ−５Ｃ線に沿って矢視方向にみた概略的な側断面図である。
【図６】図６は、従来の塀構造体の具体例を示すものであって、図６Ａは、その概略的な正面図、図６Ｂは、図６Ａにおける６Ｂ−６Ｂ線に沿って矢視方向にみた概略的な側断面図であり、図６Ｃは、図６Ａにおける６Ｃ−６Ｃ線に沿って矢視方向にみた概略的な側断面図である。
【符号の説明】
Ｕ  塀構築パネルユニット
Ｆ  土台基礎
ＢＬ  隣地境界線
１  枠組立体
２  外装パネル材
３  外周枠体
４Ａ  縦補強梁
４Ｂ  横補強梁
５  剛域機構
６  リップ溝型鋼
７  チャンネル開口
１０  地中埋込み枠体
１１  地中埋込み枠体の外周枠体
１２  地中埋込み枠体の補強梁
１３  地中埋込み枠体の剛域
１４  土台基礎連結手段
１５  側部連結手段
１６  枠体連結手段
１７  高さ調整手段
１８  高さ調整用ボルト
１９  ナット付き補強プレート
２０  貫通ネジ孔
２１  コンクリート生地
２２  後打ちアンカー
２３  ガスケット
２４  増し打ちコンクリート
２５  土台基礎連結手段
２６  コンクリート生地
２７  後打ちアンカー
２８  塀頂部構造体
【図１】
0003751407.tif 000002
【図２】
0003751407.tif 000003
【図３】
0003751407.tif 000004
【図４】
0003751407.tif 000005
【図５】
0003751407.tif 000006
【図６】
0003751407.tif 000007